(57)【要約】【課題】  ３本以上の放電管を点灯させる場合において、安全上の問題なく各放電管に流れる電流を均一化させる。【解決手段】  少なくとも第１乃至第３のトランスを有し、第２のトランスの二次巻線の第１の端子が、第１のトランスの二次巻線と第１の放電管を介して接続されており、第２のトランスの二次巻線の第２の端子が、第３のトランスの二次巻線と第２の放電管を介して接続されており、第１乃至第３のトランスと第１の放電管と第２の放電管とが直列に接続され、第１の放電管及び第２の放電管の両端に逆極性の電圧が印加されるように、第１乃至第３のトランスの一次巻線が交流電源に接続されるものである。この放電管駆動回路においては、いずれのトランスを第２のトランスと捉えても上で述べた構成が成り立つようになっており、実質的に３本以上の放電管を安全上の問題なく各放電管に流れる電流を均一化させることができる。【選択図】  図１
2006100195.tif 000002
【特許請求の範囲】
【請求項１】
少なくとも第１乃至第３のトランスを有し、
前記第２のトランスの二次巻線の第１の端子が、前記第１のトランスの二次巻線と第１のランプを介して接続されており、
前記第２のトランスの二次巻線の第２の端子が、前記第３のトランスの二次巻線と第２のランプを介して接続されており、
前記第１乃至第３のトランスの２次巻線が前記第１及び第２のランプを介して直列に接続されており、
前記第１のランプ及び前記第２のランプの両端に逆極性の電圧が印加されるように、前記第１乃至第３のトランスの一次巻線が交流電源に接続される
ことを特徴とするランプ駆動回路。
【請求項２】
少なくとも第１乃至第３のトランスを有し、
前記第２のトランスの二次巻線の第１の端子が、前記第１のトランスの二次巻線の第１の端子と１又は複数の第１のランプを介して接続されており、
前記第２のトランスの二次巻線の第２の端子が、前記第３のトランスの二次巻線の第１の端子と１又は複数の第２のランプを介して接続されており、
前記第１乃至第３のトランスと前記１又は複数の第１のランプと前記１又は複数の第２のランプとが直列に接続され、
前記第２のトランスの二次巻線の第１の端子と前記第１のトランスの二次巻線の第１の端子とに逆極性の電圧が生じ、前記第２のトランスの二次巻線の第２の端子と前記第３のトランスの二次巻線の第１の端子とに逆極性の電圧が生ずるように、前記第１乃至第３のトランスの一次巻線が交流電源に接続される
ことを特徴とするランプ駆動回路。
【請求項３】
第１のトランスと、
ｎ（ｎは１以上の整数）個の中間トランスと、
第２のトランスと、
を有し、
前記第１のトランスの二次巻線と前記ｎ個の中間トランスの二次巻線と前記第２のトランスの二次巻線と複数のランプとが直列に接続されており、
前記第１のトランスの二次巻線と前記ｎ個の中間トランスの二次巻線と前記第２のトランスの二次巻線とのうちランプを介して接続する２つのトランスの二次巻線の端子に逆極性の電圧が生ずるように、前記２つのトランスの一次巻線が交流電源に接続される
ことを特徴とするランプ駆動回路。
【請求項４】
前記２つのトランスの二次巻線の端子の間に接続されるランプが複数であることを特徴とする請求項３記載のランプ駆動回路。
【請求項５】
前記第１のトランスの二次巻線と前記ｎ個の中間トランスの二次巻線と前記第２のトランスの二次巻線と前記複数のランプとでループを構成することを特徴とする請求項３記載のランプ駆動回路。
【請求項６】
前記第１のトランスの二次巻線の第１の端子と前記第２のトランスの二次巻線の第１の端子との間に、前記ｎ個の中間トランスの二次巻線と複数のランプとが直列に接続されており、
前記第１のトランスの二次巻線の第２の端子と前記第２のトランスの二次巻線の第２の端子とがランプを介して接続されることを特徴とする請求項３記載のランプ駆動回路。
【請求項７】
前記ループが複数構成されることを特徴とする請求項５記載のランプ駆動回路。
【請求項８】
前記ループが複数構成され、
各前記ループにおけるランプを同本数又は異なる本数毎に互い違いになるように回路配線が行われる
ことを特徴とする請求項５記載のランプ駆動回路。
【請求項９】
少なくとも第１及び第２のトランスを有し、
前記第１のトランスの二次巻線の第１の端子と前記第２のトランスの二次巻線の第１の端子との間に、直列接続された複数のランプを接続し、
前記第１のトランスの二次巻線の第２の端子と前記第２のトランスの二次巻線の第２の端子との間に、直列接続された複数の他のランプを接続し、
前記第１のトランスの二次巻線の第１の端子と前記第２のトランスの二次巻線の第１の端子とに逆極性の電圧が生じ、前記第１のトランスの二次巻線の第２の端子と前記第２のトランスの二次巻線の第２の端子とに逆極性の電圧が生ずるように、前記第１及び第２のトランスの一次巻線が交流電源に接続される
ことを特徴とするランプ駆動回路。
【請求項１０】
前記第１及び第２のトランスで構成されるグループを少なくとも２つ含み、
第１のグループに接続されるランプと第２のグループに接続されるランプとを、同数本又は異なる本数おきに交互に配置するように回路配線を行う
ことを特徴とする請求項９記載のランプ駆動回路。
【請求項１１】
少なくとも一のコアに複数の二次巻線が設けられた１又は複数のトランス
を有し、
前記複数の二次巻線の各々の第１の端子は、第１のランプを介して他の第１の二次巻線の端子と接続され、
前記複数の二次巻線の各々の第２の端子は、第２のランプを介して他の第２の二次巻線の端子と接続され、
前記１又は複数のトランスの一次巻線は、交流電源に接続される
ことを特徴とするランプ駆動回路。
【請求項１２】
前記複数の二次巻線が、各前記ランプの両端に逆極性の電圧が印加される極性で前記コアに巻回されていることを特徴とする請求項１１記載のランプ駆動回路。
【請求項１３】
少なくとも一のコアに複数の二次巻線が設けられた第１のトランスと、
少なくとも一のコアに複数の二次巻線が設けられた第２のトランスと、
を有し、
前記第１のトランスの第１の二次巻線の第１の端子は、前記第２のトランスの第１の二次巻線とランプを介して接続され、
前記第１のトランスの第１の二次巻線の第２の端子は、前記第２のトランスの第２の二次巻線とランプを介して接続され、
前記第１のトランスの複数の二次巻線と前記第２のトランスの複数の二次巻線とランプとが直列に接続され、
各前記ランプの両端に逆極性の電圧が印加されるように、前記第１及び第２のトランスの一次巻線と交流電源とを接続する
ことを特徴とするランプ駆動回路。
【請求項１４】
少なくとも一のコアに複数の二次巻線が設けられた１又は複数のトランス、
を有し、
前記複数の二次巻線とランプとが直列に接続され、
前記複数の二次巻線の各々の第１の端子は、第１のランプと他の第１の二次巻線とのセットに対応付けられ、
前記複数の二次巻線の各々の第２の端子は、第２のランプと他の第２の二次巻線とのセットに対応付けられ、
前記１又は複数のトランスの一次巻線は、各前記ランプの両端に逆極性の電圧が印加されるように交流電源に接続される
ことを特徴とするランプ駆動回路。
【請求項１５】
１又は複数のトランスにより提供される第１乃至第３の二次巻線と、
前記第２の二次巻線の第１の端子と前記第１の二次巻線との間に接続された第１のランプと、
前記第２の二次巻線の第２の端子と前記第３の二次巻線との間に接続された第２のランプとを有し、
前記第１乃至第３の二次巻線と前記第１及び第２のランプとが直列に接続され、
前記１又は複数のトランスの一次巻線が、交流電源に接続される
ことを特徴とするランプ駆動装置。
【請求項１６】
１又は複数のトランスにより提供される３つ以上の二次巻線と複数のランプとが直列接続されて閉ループを形成し、
前記閉ループの巡回方向を一の方向で定義したときに、前記二次巻線の後段に前記ランプが接続された部位を少なくとも２つ含むことを特徴とするランプ駆動装置。
【請求項１７】
１又は複数のトランスにより提供される複数の二次巻線と複数のランプとが直列接続されて閉ループを形成し、
少なくとも３つの前記二次巻線のそれぞれの間に少なくとも１つの前記ランプが配置されたことを特徴とするランプ駆動装置。
【発明の詳細な説明】
【技術分野】
【０００１】
本発明は、ランプ駆動回路及び装置に関する。
【背景技術】
【０００２】
例えば液晶表示装置のバックライトには従来から冷陰極線蛍光管などの放電管が良く用いられている。図１に放電管のための基本的な点灯回路の一例を示す。図１の点灯回路は、インバータＶ１０１と、トランスＴ１０１と、放電管ＬＰ１０１とを含む。そして、インバータＶ１０１は、トランスＴ１０１の一次巻線の端子Ｐ１及びＰ２に接続され、放電管ＬＰ１０１の一端はトランスＴ１０１の二次巻線の端子Ｓ１に接続される。放電管ＬＰ１０１の他端及びトランスＴ１０１の二次巻線の端子Ｓ２は、接地されている。インバータＶ１０１の出力電圧をトランスＴ１０１にて昇圧して放電管を点灯させている。
【０００３】
また、図２に他の従来技術に係る点灯回路を示す。図２に示す点灯回路は、インバータＶ１０２と、トランスＴ１０２及びＴ１０３と、放電管ＬＰ１０２とを含む。そして、インバータＶ１０２は、トランスＴ１０２の一次巻線の端子Ｐ１及びＰ２並びにトランスＴ１０３の一次巻線の端子Ｐ１及びＰ２に接続されている。すなわち、トランスＴ１０２及びＴ１０３は、インバータＶ１０２に並列に接続されている。また、放電管ＬＰ１０２の一端はトランスＴ１０２の二次巻線の端子Ｓ１に接続され、放電管ＬＰ１０２の他端はトランスＴ１０３の二次巻線の端子Ｓ２に接続されている。なお、トランスＴ１０２の二次巻線の端子Ｓ２及びトランスＴ１０３の二次巻線の端子Ｓ１は、グランドに接続されている。すなわち、放電管ＬＰ１０２の左右の端子には逆極性の電圧が印加されるように接続され、放電管ＬＰ１０２は差動ドライブされている。従って、浮遊容量へのリーク電流は、少なく且つ逆位相なのでトータルすると０となり、安定した電流が流れるため、放電管ＬＰ１０２の左右の輝度差が無くなる。但し、放電管の数を複数にした場合には、そのままでは放電管同士の電流を均一にすることができず、さらにインバータの数をも増加させることになる。
【０００４】
近年、液晶表示装置などの大画面化により、１つのバックライトには数本から２０本程度の放電管が使用されている。このとき冷陰極線蛍光管などの放電管は、電流が流れると突然電圧が下がり、電流が増えるとインピーダンスが徐々に下がるという負性抵抗特性を持つ。また、各放電管は、インピーダンスの個体ばらつきを有する。これらの要因により各放電管の安定点灯や発光を実現するのが困難という問題を有している。そこで以下のような回路が用いられている。
【０００５】
図３に複数の放電管を点灯させるための従来技術に係る点灯回路を示す。図３に示す点灯回路は、４つの放電管ＬＰ１０４乃至ＬＰ１０７を点灯させるための回路であって、インバータＶ１０４とトランスＴ１０４及びＴ１０８と放電管ＬＰ１０４と抵抗Ｒ１０４と電流検出フィードバック線１０４とを有する第１の回路と、インバータＶ１０５とトランスＴ１０５及びＴ１０９と放電管ＬＰ１０５と抵抗Ｒ１０５と電流検出フィードバック線１０５とを有する第２の回路と、インバータＶ１０６とトランスＴ１０６及びＴ１１０と放電管ＬＰ１０６と抵抗Ｒ１０６と電流検出フィードバック線１０６とを有する第３の回路と、インバータＶ１０７とトランスＴ１０７及びＴ１１１と放電管ＬＰ１０７と抵抗Ｒ１０７と電流検出フィードバック線１０７とを有する第４の回路とを有する。インバータＶ１０４は、トランスＴ１０４の一次巻線の端子Ｐ１及びＰ２と、トランスＴ１０８の一次巻線の端子Ｐ１及びＰ２とに接続されている。但し、インバータＶ１０４とトランスＴ１０４、インバータＶ１０４とトランスＴ１０８は、逆相となるように接続されている。また、トランスＴ１０４の二次巻線の端子Ｓ１は、放電管ＬＰ１０４の第１の端子に接続され、放電管ＬＰ１０４の第２の端子はトランスＴ１０８の二次巻線の端子Ｓ１に接続されている。トランスＴ１０４の二次巻線の端子Ｓ２は、抵抗Ｒ１０４を介して接地されており、トランスＴ１０８の二次巻線の端子Ｓ２は、直接接地されている。また、電流検出フィードバック線１０４は、トランスＴ１０４の二次巻線の端子Ｓ２とインバータＶ１０４を接続している。以下、第２乃至第４の回路についても接続関係は同様であるから説明は省略する。この点灯回路では、電流フィードバック線で検出された電流に応じてインバータを制御することにより、各放電管の点灯を制御するようになっている。よって、全ての放電管を確実に点灯させ、全放電管の電流を均一化させることはできる。但し、インバータ数が多く非常にコストが高くなる。
【０００６】
図４に他の従来技術に係る点灯回路を示す。図４に示す点灯回路は、４つの放電管ＬＰ１０８乃至ＬＰ１１１を点灯するための回路であって、トランスＴ１１２乃至Ｔ１１９と、バラストコンデンサＣ１０８乃至Ｃ１１１と、放電管ＬＰ１０８乃至ＬＰ１１１とを有する。インバータＶ１０８は、トランスＴ１１２の一次巻線の端子Ｐ１及びＰ２と、トランスＴ１１３の一次巻線の端子Ｐ１及びＰ２と、トランスＴ１１４の一次巻線の端子Ｐ１及びＰ２と、トランスＴ１１５の一次巻線の端子Ｐ１及びＰ２と接続されている。また、インバータＶ１０８は、上記トランスとは逆相になるように、トランスＴ１１６の一次巻線の端子Ｐ１及びＰ２と、トランスＴ１１７の一次巻線の端子Ｐ１及びＰ２と、トランスＴ１１８の一次巻線の端子Ｐ１及びＰ２と、トランスＴ１１９の一次巻線の端子Ｐ１及びＰ２とに接続されている。トランスＴ１１２の二次巻線の端子Ｓ２は、バラストコンデンサＣ１０８を介して放電管ＬＰ１０８の第１の端子に接続され、放電管ＬＰ１０８の第２の端子はトランスＴ１１６の二次巻線の端子Ｓ２に接続される。トランスＴ１１３の二次巻線の端子Ｓ２は、バラストコンデンサＣ１０９を介して放電管ＬＰ１０９の第１の端子に接続され、放電管ＬＰ１０９の第２の端子はトランスＴ１１７の二次巻線の端子Ｓ２に接続される。トランスＴ１１４の二次巻線の端子Ｓ２は、バラストコンデンサＣ１１０を介して放電管ＬＰ１１０の第１の端子に接続され、放電管ＬＰ１１０の第２の端子はトランスＴ１１８の二次巻線の端子Ｓ２に接続される。トランスＴ１１５の二次巻線の端子Ｓ２は、バラストコンデンサＣ１１１を介して放電管ＬＰ１１１の第１の端子に接続され、放電管ＬＰ１１１の第２の端子はトランスＴ１１９の二次巻線の端子Ｓ２に接続される。なお、トランスＴ１１２乃至Ｔ１１９の二次巻線の残余の端子Ｓ１は接地されている。このような点灯回路を用いれば、インバータの数を減らすことができるが、バラストコンデンサのインピーダンスにより放電管インピーダンスのばらつきを緩和しているだけであり、十分電流を均一化することはできない。また、起動時における放電管の一部不点灯を解消するには、点灯した放電管に大電流を流しても高電圧を維持するために、高電圧容量の電源が必要で、感電安全性が低い。
【０００７】
図５にさらに他の従来技術に係る点灯回路を示す。図５に示す点灯回路は、インバータＶ１１２と、トランスＴ１２０乃至Ｔ１２４と、放電管ＬＰ１１２乃至ＬＰ１１５とを含む。インバータＶ１１２は、トランスＴ１２０の一次巻線の端子Ｐ１及びＰ２、並びにトランスＴ１２４の一次巻線の端子Ｐ１及びＰ２に接続されている。すなわち、トランスＴ１２０及びＴ１２４は、並列に接続されており、差動ドライブを実現している。また、トランスＴ１２０の二次巻線の端子Ｓ１は、トランスＴ１２１の一次巻線の端子Ｐ２及び二次巻線の端子Ｓ１に接続されている。また、トランスＴ１２１の一次巻線の端子Ｐ１は、放電管ＬＰ１１４及びＬＰ１１５の一端に接続されている。さらに、トランスＴ１２１の二次巻線の端子Ｓ２は、放電管ＬＰ１１２及びＬＰ１１３の一端に接続されている。一方、放電管ＬＰ１１５の他端は、トランスＴ１２３の一次巻線の端子Ｐ１に接続され、放電管ＬＰ１１４の他端は、トランスＴ１２３の二次巻線の端子Ｓ２に接続される。トランスＴ１２３の一次巻線の端子Ｐ２及び二次巻線の端子Ｓ１は、トランスＴ１２４の二次巻線の端子Ｓ１とトランスＴ１２２の一次巻線の端子Ｐ１及び二次巻線の端子Ｓ２とに接続される。また、放電管ＬＰ１１２の他端は、トランスＴ１２２の二次巻線の端子Ｓ１に接続され、放電管ＬＰ１１３の他端は、トランスＴ１２２の一次巻線の端子Ｐ２に接続される。トランスＴ１２４の二次巻線の端子Ｓ２及びトランスＴ１２０の二次巻線の端子Ｓ２は接地されている。このように、４つの放電管ＬＰ１２０乃至ＬＰ１２３に対して３個のコモンモード・チョーク、すなわち１対１トランス（トランスＴ１２１乃至Ｔ１２３）を使用して安定点灯や均一化を図るものである。但し、放電管の自由な配置が困難であり、さらに高圧線を長く複雑に引き回す必要があり、リーク電流やそれに伴うノイズが多い。
【０００８】
図６にさらに他の従来技術に係る点灯回路を示す。図６に示す点灯回路は、インバータＶ１１７と、トランスＴ１２５乃至Ｔ１２８と、放電管ＬＰ１１７乃至ＬＰ１２０とを含む。インバータＶ１１７は、トランスＴ１２８の一次巻線の端子Ｐ１と、トランスＴ１２５の一次巻線の端子Ｐ２に接続されている。また、トランスＴ１２８の一次巻線の端子Ｐ２とトランスＴ１２７の一次巻線の端子Ｐ１とが接続され、トランスＴ１２７の一次巻線の端子Ｐ２とトランスＴ１２６の一次巻線の端子Ｐ１とが接続され、トランスＴ１２６の一次巻線の端子Ｐ２とトランスＴ１２５の一次巻線の端子Ｐ１とが接続されている。すなわち、トランスＴ１２５乃至Ｔ１２８とインバータＶ１１７は直列に接続されている。さらに、トランスＴ１２５の二次巻線の端子Ｓ２は、放電管ＬＰ１１７の一端と接続されており、トランスＴ１２６の二次巻線の端子Ｓ２は、放電管ＬＰ１１８の一端と接続されており、トランスＴ１２７の二次巻線の端子Ｓ２は、放電管ＬＰ１１９の一端と接続されており、トランスＴ１２８の二次巻線の端子Ｓ２は、放電管ＬＰ１２０の一端と接続されている。そして、放電管ＬＰ１１７乃至ＬＰ１２０の他端及びトランスＴ１２５乃至Ｔ１２８の二次巻線の端子Ｓ１は、グランドに接続されている。このようにトランスの二次巻線と放電管は独立に接続されており、放電管自身を直列にインバータに接続したのと実質的に同じ効果を得ることができる。すなわち、全ての放電管の電流が確実に均一化され、一部不点灯が無く確実に全て点灯する。本点灯回路は、様々な優れた特徴を有するが、液晶表示装置が大型化さらに高精細化するにつれ、バックライトとして用いられる冷陰極線蛍光管の本数は増加しており、冷陰極線蛍光管の本数に合わせてトランスの数も増加してしまう。
【０００９】
図７に実開昭５９−１８７０９７号公報に開示された点灯回路を示す。図７に示す点灯回路は、インバータＶ１１８と、トランスＴ１２９及びＴ１３０と、放電管ＬＰ１２１及びＬＰ１２２とを有する。インバータＶ１１８は、トランスＴ１２９の一次巻線の端子Ｐ１及びＰ２、トランスＴ１３０の一次巻線の端子Ｐ１及びＰ２に接続されている。但し、インバータＶ１１８及びトランスＴ１２９と、インバータＶ１１８及びトランスＴ１３０とは、逆相となるように接続されている。また、放電管ＬＰ１２１の第１の端子は、トランスＴ１２９の二次巻線の端子Ｓ２と接続されており、放電管ＬＰ１２１の第２の端子は、トランスＴ１３０の二次巻線の端子Ｓ２と接続されている。放電管ＬＰ１２２の第１の端子は、トランスＴ１２９の二次巻線の端子Ｓ１と接続されており、放電管ＬＰ１２２の第２の端子は、トランスＴ１３０の二次巻線の端子Ｓ１と接続されている。このように、放電管ＬＰ１２１及びＬＰ１２２は、左右両極が逆極性のフローティング差動ドライブとなっており、放電管の左右の輝度差が無くなる。また、フローティングのためアースへの電流がリークを含めてトータルで０となる。但し、放電管が３以上の場合にどのような構成が好ましいのかといった考察はなされていない。
【００１０】
なお図示しないが、特開昭６１−１９５５９２号公報には、交流電源と、この交流電源に接続した複数の放電ランプの直列回路と、複数の放電ランプの少なくとも１本に並列接続したシーケンスインピーダンスと、交流電源に一次巻線を接続し複数の放電ランプの各フィラメントに２次巻線を接続した予熱トランスと、交流電源と予熱トランスの一次巻線との間に介挿接続した先行予熱スイッチと、予熱トランスの一次巻線に並列接続して複数の放電ランプの点灯後オンにする短絡スイッチを備える放電管点灯装置が開示されている。但し、本公報は、シーケンスインピーダンスに並列接続した放電ランプを点灯中にはずした時の鉄損による予熱トランスの発熱を防止することを目的としており、トランスの共有を試みている部分はあるが、その削減程度は十分ではない。また、３以上の放電ランプを点灯させる際の構成は必ずしも明らかではない。
【００１１】
さらに、最も単純に放電管に流れる電流を均一化する方法としては、トランスの二次巻線に複数の放電管を直列に接続する方法であるが、放電管の本数分の電圧が累積するため非常に高電圧となり、トランスや配線に極端な高耐圧化が求められる。また感電の危険も増大する。さらに、高周波インバータによる点灯では、放電管やリード線から導体バックプレーンなどへの浮遊容量に流れ出すリーク電流の影響により、放電管の位置によって流れる電流が異なり明るさが均一にならないという問題がある。
【特許文献１】実開昭５９−１８７０９７号公報
【特許文献２】特開昭６１−１９５５９２号公報
【発明の開示】
【発明が解決しようとする課題】
【００１２】
上で述べたように従来技術では３本以上のランプを点灯させる場合、点灯の確実性や安全上問題があったり、各ランプに流れる電流の均一化が困難であったりといったように、様々な問題があった。
【００１３】
従って、本発明の目的は、３本以上のランプを点灯させる場合において、安全上の問題なく各ランプに流れる電流を均一化させることが可能な新規なランプ駆動回路及び装置を提供することである。
【課題を解決するための手段】
【００１４】
本発明の第１の態様に係るランプ駆動回路（放電管点灯用回路とも呼ぶ）は、少なくとも第１乃至第３のトランスを有する。そして、第２のトランスの二次巻線の第１の端子が、第１のトランスの二次巻線と第１のランプ（例えば放電管）を介して接続されており、第２のトランスの二次巻線の第２の端子が、第３のトランスの二次巻線と第２のランプを介して接続されており、第１乃至第３のトランスの２次巻線が直列に接続され、第１のランプ及び第２のランプの両端に逆極性の電圧が印加されるように、第１乃至第３のトランスの一次巻線が交流電源に接続されるものである。
【００１５】
本発明の第１の態様に係るランプ駆動回路においては、少なくとも２以上のトランスを第２のトランスと捉えても上で述べた構成が成り立つようになっており、安全上の問題なく実質的に３本以上のランプに流れる電流を均一化させることができる。
【００１６】
本発明の第２の態様に係るランプ駆動回路は、少なくとも第１乃至第３のトランスを有する。そして、第２のトランスの二次巻線の第１の端子が、第１のトランスの二次巻線の第１の端子と１又は複数の第１のランプを介して接続されており、第２のトランスの二次巻線の第２の端子が、第３のトランスの二次巻線の第１の端子と１又は複数の第２のランプを介して接続されており、第１乃至第３のトランスと１又は複数の第１のランプと１又は複数の第２のランプとが直列に接続され、第２のトランスの二次巻線の第１の端子と第１のトランスの二次巻線の第１の端子とに逆極性の電圧が生じ、第２のトランスの二次巻線の第２の端子と第３のトランスの二次巻線の第１の端子とに逆極性の電圧が生ずるように、第１乃至第３のトランスの一次巻線が交流電源に接続されるものである。このようにトランスの二次巻線の間に接続するランプの数を複数にすることも可能である。このような場合ランプの左右で明るさが異なる場合もあるが、ランプの配置及び回路配線を工夫することにより当該明るさの不均一さについては補うことができる。
【００１７】
本発明の第３の態様に係るランプ駆動回路は、第１のトランスと、ｎ（１以上の整数）個の中間トランスと、第２のトランスとを有する。そして、第１のトランスの二次巻線とｎ個の中間トランスの二次巻線と第２のトランスの二次巻線と複数のランプとが直列に接続されており、第１のトランスの二次巻線とｎ個の中間トランスの二次巻線と第２のトランスの二次巻線とのうちランプを介して接続する２つのトランスの二次巻線の端子に逆極性の電圧が生ずるように、上記２つのトランスの一次巻線が交流電源に接続されるものである。ランプは第１及び第２のトランス及びｎ個の中間トランスの二次巻線と直列に接続されているので、各ランプに流れる電流を均一化することができ、さらに各ランプによる電圧の累積を最小限に抑えることにより安全性を高めることができる。
【００１８】
なお、上記２つのトランスの二次巻線の端子の間に接続されるランプが複数である場合もある。
【００１９】
さらに、第１のトランスの二次巻線とｎ個の中間トランスの二次巻線と第２のトランスの二次巻線と複数のランプとでループを構成する場合もある。これらの要素に加えてさらに別の回路要素を付加してループが構成される場合もある。
【００２０】
また、第１のトランスの二次巻線の第１の端子と第２のトランスの二次巻線の第１の端子との間に、ｎ個の中間トランスの二次巻線と複数のランプとが直列に接続されており、第１のトランスの二次巻線の第２の端子と第２のトランスの二次巻線の第２の端子とがランプを介して接続されるようにしてもよい。
【００２１】
さらに、平行に配置される複数のランプの片側に印加される電圧の極性が、同本数又は異なる本数おきに互い違いになるように回路配線が行われるようにしてもよい。このようにすることによって、ノイズを少なくすることができる。
【００２２】
また、第２のトランスの二次巻線がセンタータップを有しており、当該センタータップが接地されるようにしてもよい。
【００２３】
また、平行に配置される複数のランプの片側に印加される電圧の極性が、いずれかに偏ることなく変化するように回路配線が行われる場合もある。このように偏りを無くすことにより、ノイズを少なくしたり、ランプの左右の明暗が偏らないようにすることができる。
【００２４】
さらに、上記ループが複数構成されるようにしてもよい。さらに、上記ループが複数構成され、各ループにおけるランプを同本数又は異なる本数毎に互い違いになるように回路配線が行われるようにしてもよい。
【００２５】
本発明の第４の態様に係るランプ駆動回路は、少なくとも一のコアに複数の二次巻線が設けられた１又は複数のトランスを有する。そして、複数の二次巻線の各々の第１の端子は、第１のランプを介して他の第１の二次巻線の端子と接続され、複数の二次巻線の各々の第２の端子は、第２のランプを介して他の第２の二次巻線の端子と接続され、上記１又は複数のトランスの一次巻線は、交流電源に接続されるものである。このように多出力のトランスを用いても、各ランプに流れる電流を均一化することができ、ランプによる電圧の累積を抑えることができるので安全性にも問題が無くなる。
【００２６】
また、上記複数の二次巻線が、各ランプの両端に逆極性の電圧が印加される極性でコアに巻回されている場合もある。
【００２７】
本発明の第５の態様に係るランプ駆動回路は、少なくとも一のコアに複数の二次巻線が設けられた第１のトランスと、少なくとも１のコアに複数の二次巻線が設けられた第２のトランスとを有する。そして、第１のトランスの第１の二次巻線の第１の端子は、第２のトランスの第１の二次巻線とランプを介して接続され、第１のトランスの第１の二次巻線の第２の端子は、第２のトランスの第２の二次巻線とランプを介して接続され、第１のトランスの複数の二次巻線と第２のトランスの複数の二次巻線とランプとが直列に接続され、各ランプの両端に逆極性の電圧が印加されるように、第１及び第２のトランスの一次巻線と交流電源とを接続するものである。
【００２８】
本発明の第６の態様に係るランプ駆動回路は、少なくとも一のコアに複数の二次巻線が設けられた１又は複数のトランスを有する。そして、複数の二次巻線とランプとが直列に接続され、複数の二次巻線の各々の第１の端子は、第１のランプと他の第１の二次巻線とのセットに対応付けられ、複数の二次巻線の各々の第２の端子は、第２のランプと他の第２の二次巻線とのセットに対応付けられ、１又は複数のトランスの一次巻線は、各ランプの両端に逆極性の電圧が印加されるように交流電源に接続されるものである。
【００２９】
本発明の第７の態様に係るランプ駆動回路は、少なくとも第１及び第２のトランスを有する。そして、第１のトランスの二次巻線の第１の端子と第２のトランスの二次巻線の第１の端子との間に、直列接続された複数のランプを接続し、第１のトランスの二次巻線の第２の端子と第２のトランスの二次巻線の第２の端子との間に、直列接続された複数の他のランプを接続する。また、第１のトランスの二次巻線の第１の端子と第２のトランスの二次巻線の第１の端子とに逆極性の電圧が生じ、第１のトランスの二次巻線の第２の端子と第２のトランスの二次巻線の第２の端子とに逆極性の電圧が生ずるように、第１及び第２のトランスの一次巻線が交流電源に接続されるものである。
【００３０】
また、第１及び第２のトランスで構成されるグループを少なくとも２つ含み、第１のグループに接続されるランプと第２のグループに接続されるランプとを、同数本又は異なる本数おきに交互に配置するように回路配線を行うようにしてもよい。
【００３１】
本発明の第８の態様に係るランプ駆動装置は、１又は複数のトランスにより提供される第１乃至第３の二次巻線と、第２の二次巻線の第１の端子と第１の二次巻線との間に接続された第１のランプと、第２の二次巻線の第２の端子と第３の二次巻線との間に接続された第２のランプとを有する。そして、第１乃至第３の二次巻線と第１及び第２のランプとが直列に接続され、１又は複数のトランスの一次巻線が、交流電源に接続されるものである。
【００３２】
本発明の第９の態様に係るランプ駆動装置は、１又は複数のトランスにより提供される３つ以上の二次巻線と複数のランプとが直列接続されて閉ループを形成し、閉ループの巡回方向を一の方向で定義したときに、上記二次巻線の後段にランプが接続された部位を少なくとも２つ含むようになっている。
【００３３】
本発明の第１０の態様に係るランプ駆動装置は、１又は複数のトランスにより提供される複数の二次巻線と複数のランプとが直列接続されて閉ループを形成し、少なくとも３つの上記二次巻線のそれぞれの間に少なくとも１つのランプが配置されたものである。
【００３４】
以上のような構成を実現するための回路は複数存在しており、以下に具体例を示すが、本発明はこれに限定されるものではない。
【発明の効果】
【００３５】
本発明によれば、３本以上のランプを点灯させる場合において、安全上の問題なく各放電管に流れる電流を均一化させることができる。
【発明を実施するための最良の形態】
【００３６】
１．実施の形態１
図８に本発明の第１の実施の形態に係る放電管点灯用回路を示す。図８の放電管点灯用回路１０は、フローティング差動駆動の点灯用回路であり、交流電源Ｖ１と、トランスＴ１乃至Ｔ４と、冷陰極線蛍光管などの放電管ＬＰ１乃至ＬＰ４とを有する。本願の全実施の形態において交流電源には、スイッチング型インバータ電源を含み、スイッチング回路の例としては、フルブリッジ、ハーフブリッジ等が考えられる。この交流電源Ｖ１は、トランスＴ１の一次巻線の端子Ｐ１及びＰ２と、トランスＴ２の一次巻線の端子Ｐ１及びＰ２と、トランスＴ３の一次巻線の端子Ｐ１及びＰ２と、トランスＴ４の一次巻線の端子Ｐ１及びＰ２とに接続されている。すなわち、全てのトランスＴ１乃至Ｔ４の一次巻線は交流電源Ｖ１に対して並列になっている。
【００３７】
そして、放電管ＬＰ１の第１の端子は、トランスＴ１の二次巻線の端子Ｓ２に接続され、放電管ＬＰ１の第２の端子は、トランスＴ４の二次巻線の端子Ｓ１に接続される。このように放電管ＬＰ１乃至ＬＰ４が平行に配置され且つ各トランスが放電管の左右に配置されている場合には対角のトランスＴ１及びＴ４の二次巻線同士を放電管を介して接続する。また、放電管ＬＰ２の第１の端子は、トランスＴ１の二次巻線の端子Ｓ１に接続され、放電管ＬＰ２の第２の端子は、トランスＴ３の二次巻線の端子Ｓ２に接続される。同様に、放電管ＬＰ３の第１の端子は、トランスＴ３の二次巻線の端子Ｓ１に接続され、放電管ＬＰ３の第２の端子は、トランスＴ２の二次巻線の端子Ｓ２に接続される。また、放電管ＬＰ４の第１の端子は、トランスＴ２の二次巻線の端子Ｓ１に接続され、放電管ＬＰ４の第２の端子は、トランスＴ４の二次巻線の端子Ｓ２に接続される。このように、放電管ＬＰ１と、トランスＴ１の二次巻線と、放電管ＬＰ２と、トランスＴ３の二次巻線と、放電管ＬＰ３と、トランスＴ２の二次巻線と、放電管ＬＰ４と、トランスＴ４の二次巻線とが直列に接続されており、さらにトランスＴ４の二次巻線と放電管ＬＰ１とが接続されているのでこれらの回路要素はループを構成している。
【００３８】
また、放電管ＬＰ１乃至ＬＰ４のいずれの両端においても逆極性の電圧が印加されるように、トランスＴ１乃至Ｔ４の一次巻線と交流電源Ｖ１とが、またトランスＴ１乃至Ｔ４の二次巻線と放電管ＬＰ１乃至ＬＰ４とが接続されている。また、放電管ＬＰ１乃至ＬＰ４の右側の端子には交互に極性の異なる電圧が印加され、同様に放電管ＬＰ１乃至ＬＰ４の左側の端子にも交互に極性の異なる電圧が印加される。
【００３９】
本実施の形態においてはトランスの数が４に対して放電管の数も４となり、放電管の数に比してトランスの数は増加していない。また、トランスの二次側において放電管が直列に接続される構成であるが、トランスの二次巻線と放電管とが交互に直列に接続されるため、点灯中は電圧の累積は最小限に抑えられている。また、本実施の形態ではフローティング差動駆動方式を採用しているので、高電圧がかかる配線２箇所を触らないと本格的に電流は流れないので、感電しにくく安全性が高い。また、上でも述べたように、放電管の両端には逆極性の電圧が印加され、さらに隣接配置された放電管についても極性が逆転するようになっているため、ノイズが発生しにくいという効果もある。また、各放電管の輝度もばらつきがない。
【００４０】
２．実施の形態２
図９に本発明の第２の実施の形態に係る放電管点灯用回路を示す。図９の放電管点灯用回路２０は、交流電源Ｖ１と、トランスＴ１乃至Ｔ３と、二次側にセンタータップＳ２が設けられたトランスＴ５と、冷陰極線蛍光管などの放電管ＬＰ１乃至ＬＰ４とを有する。本実施の形態においては、第１の実施の形態の放電管点灯用回路１０におけるトランスＴ４の代わりに上記トランスＴ５を使用しており、放電管ＬＰ１の第２の端子がトランスＴ５の二次巻線の端子Ｓ３と接続され、放電管ＬＰ４の第２の端子がトランスＴ５の二次巻線の端子Ｓ１と接続される。また、センタータップＳ２は接地されており、フローティング駆動ではない。
【００４１】
本実施の形態では、第１の実施の形態と同様にトランスの二次巻線と放電管とが交互に直列に接続されているので、点灯中の電圧の累積は無い。従って安全性が高い。また、トランスＴ５の二次巻線側に設けられたセンタータップＳ２が接地されているが、元々ほぼグランド電位となる箇所を接地しただけであるから、グランドにはほとんど電流も流れず、ノイズの発生もほとんど無い。
【００４２】
３．実施の形態３
図１０に本発明の第３の実施の形態に係る放電管点灯用回路を示す。図１０の放電管点灯用回路３０は、フローティング差動駆動の点灯用回路であり、交流電源Ｖ２と、トランスＴ６及びＴ７と、冷陰極線蛍光管などの放電管ＬＰ５乃至ＬＰ８とを有する。交流電源Ｖ２は、トランスＴ６の一次巻線の端子Ｐ１及びＰ２と、トランスＴ７の一次巻線の端子Ｐ１及びＰ２とに接続されている。すなわち、トランスＴ６及びＴ７の一次巻線は交流電源Ｖ２に対して並列になっている。
【００４３】
そして、放電管ＬＰ５の第１の端子は、トランスＴ６の二次巻線の端子Ｓ２に接続され、放電管ＬＰ５の第２の端子は、放電管ＬＰ８の第１の端子に接続されている。また、放電管ＬＰ８の第２の端子は、トランスＴ７の二次巻線の端子Ｓ１に接続される。さらに、放電管ＬＰ６の第１の端子は、トランスＴ６の二次巻線の端子Ｓ１に接続され、放電管ＬＰ６の第２の端子は、放電管ＬＰ７の第１の端子に接続されている。また、放電管ＬＰ７の第２の端子は、トランスＴ７の二次巻線の端子Ｓ２に接続される。このように、トランスＴ６の二次巻線は、直列に接続された２本の放電管ＬＰ５及びＬＰ８並びにＬＰ６及びＬＰ７を介してトランスＴ７の二次巻線に直列に接続されている。さらに、トランスＴ６の二次巻線と、放電管ＬＰ６及びＬＰ７と、トランスＴ７の二次巻線と、放電管ＬＰ８及びＬＰ５とは直列に接続されているのでこれらの回路要素はループを構成している。
【００４４】
このようにトランスの数は放電管の数の半分となっており、コストが削減されている。また、トランスの二次巻線と２本の放電管とが交互に直列に接続されているため、４本の放電管を点灯させているが、蓄積される電圧は放電管２本分に限定される。また、フローティング差動駆動方式を採用しているため、高電圧の配線を二箇所触らないと本格的に電流が流れないので、感電が生じにくく安全性が高い。また、ノイズも発生しにくいという効果もある。なお、図１０において放電管の右側、すなわち二本の放電管の接続点は、フローティング差動駆動方式であっても浮遊容量リークにより正負ほぼバランスされるため、ほぼ接地電位となる。
【００４５】
４．実施の形態４
図１１に本発明の第４の実施の形態に係る放電管点灯用回路を示す。図１１の放電管点灯用回路４０は、交流電源Ｖ２と、トランスＴ６及びＴ７と、冷陰極線蛍光管などの放電管ＬＰ５乃至ＬＰ８と、二次側電流検出用で低抵抗の抵抗Ｒ１と、二次側電流検出用端子とを有する。本実施の形態に係る放電管点灯用回路４０と第３の実施の形態に係る放電管点灯用回路３０とは、放電管ＬＰ５と放電管ＬＰ８との間に抵抗Ｒ１を新たに設けると共に、放電管ＬＰ８と抵抗Ｒ１との接続点を接地している点が異なる。
【００４６】
本実施の形態においては、抵抗Ｒ１は、トランスＴ６の二次巻線と放電管ＬＰ６及びＬＰ７とトランスＴ７の二次巻線と放電管ＬＰ８及びＬＰ５とから構成されるループの間に挿入されているが、接地されているためフローティング差動駆動方式ではないという点を除き特別な効果は無い。従って、電流検出を行わない場合には抵抗Ｒ１を取り外して、接地することも可能である。また、ほぼグランド電位となる箇所を接地しただけであるので、グランドにはほとんど電流も流れず、ノイズも発生しない。
【００４７】
５．電圧の累積について
ここで放電管による電圧の累積について説明しておく。例えば図１２のような回路を基準に上で述べた第１乃至第４の実施の形態を比較する。図１２に示す放電管点灯用回路は、交流電源Ｖ１１９と、トランスＴ１３０と、放電管ＬＰ１２３乃至ＬＰ１２６とを有する。トランスＴ１３０の一次巻線の端子Ｐ１及びＰ２は交流電源Ｖ１１９に接続されている。また、トランスＴ１３０の二次巻線の端子Ｓ２は、放電管ＬＰ１２３の第１の端子に接続されており、放電管ＬＰ１２３の第２の端子は、放電管ＬＰ１２４の第１の端子に接続されている。また、放電管ＬＰ１２４の第２の端子は、放電管ＬＰ１２５の第１の端子に接続され、放電管ＬＰ１２５の第２の端子は、放電管ＬＰ１２６の第１の端子に接続されている。放電管ＬＰ１２６の第２の端子は、トランスＴ１３０の二次巻線の端子Ｓ１に接続される。すなわち、トランスＴ１３０の二次巻線は、放電管ＬＰ１２３乃至ＬＰ１２６と直列に接続され、ループが構成されている。
【００４８】
このような放電管点灯用回路において、放電管ＬＰ１２３の第１の端子に＋Ｖが印加され、放電管ＬＰ１２６とトランスＴ１３０の二次巻線の端子Ｓ１との接続点には−Ｖが印加されると、放電管ＬＰ１２３の第２の端子の電圧は＋Ｖ／２となる。また、放電管ＬＰ１２４と放電管ＬＰ１２５との接続点の電圧は０Ｖであり、放電管ＬＰ１２５と放電管ＬＰ１２６との接続点の電圧は−Ｖ／２となる。
【００４９】
図１２のような放電管点灯用回路においては、各放電管に流れる電流は原理的には均一になる。しかし、放電管による電圧が全て累積され、トランス、リード線、放電管とグランド間などに高電圧がかかる。そのためグランドへのリーク電流も多くなり、中間の放電管ＬＰ１２４及びＬＰ１２５の電流が減少し、暗くなってしまう。
【００５０】
ここで放電管一本の両端電圧を±１０００Ｖ、すなわち両端電位差２０００Ｖとすると、図１２に示した放電管点灯用回路では、４本の放電管が直列に接続されているので、図１３（ａ）に示すように±１０００Ｖが次々に累積され合計±４０００Ｖの両端電圧、すなわち両端電位差８０００Ｖとなり、このような高電圧をトランスＴ１３０の二次巻線の両端子間に供給しなければならない。この例では４本の放電管の直列接続であるが、直列接続される放電管が増加すればそれに比例してトランスからの供給電圧は増加する。例えば１０本直列接続する場合には、トランスの二次巻線の端子間電位差は２万Ｖにも達する。これは安全性などの点においても問題である。
【００５１】
一方、第１及び第２の実施の形態に係る放電管点灯用回路については、図１３（ｂ）に示すように、放電管１本毎にトランスからの供給電圧と放電管の負荷電圧とが等しいため、放電管とトランスで構成される組毎に元の電位に戻り、放電管の本数が増加しても放電管１本分しか電圧（上の例では２０００Ｖ）は累積されない。
【００５２】
また、第３及び第４の実施の形態に係る放電管点灯用回路については、図１３（ｃ）に示すように、放電管２本毎にトランスからの供給電圧と放電管の負荷電圧が等しくなるため、放電管２本とトランスで構成される組毎に元の電位に戻り、放電管の本数が増加しても放電管２本分しか電圧（上の例では４０００Ｖ）は累積されない。
【００５３】
６．実施の形態５
図１４に本発明の第５の実施の形態に係る放電管点灯用回路を示す。図１４の放電管点灯用回路５０は、フローティング差動駆動の点灯用回路であり、交流電源Ｖ３と、トランスＴ８乃至Ｔ１５と、冷陰極線蛍光管などの放電管ＬＰ９乃至ＬＰ１６とを有する。本実施の形態に係る放電管点灯用回路５０は、第１の実施の形態に係る放電管点灯用回路１０を４灯から８灯に拡張した回路である。放電管点灯用回路５０の交流電源Ｖ３は、トランスＴ８の一次巻線の端子Ｐ１及びＰ２と、トランスＴ９の一次巻線の端子Ｐ１及びＰ２と、トランスＴ１０の一次巻線の端子Ｐ１及びＰ２と、トランスＴ１１の一次巻線の端子Ｐ１及びＰ２と、トランスＴ１２の一次巻線の端子Ｐ１及びＰ２と、トランスＴ１３の一次巻線の端子Ｐ１及びＰ２と、トランスＴ１４の一次巻線の端子Ｐ１及びＰ２と、トランスＴ１５の一次巻線の端子Ｐ１及びＰ２とに接続されている。すなわち、全てのトランスＴ８乃至Ｔ１５の一次巻線は交流電源Ｖ３に対して並列になっている。
【００５４】
そして、放電管ＬＰ９の第１の端子は、トランスＴ８の二次巻線の端子Ｓ２に接続され、放電管ＬＰ９の第２の端子は、トランスＴ１５の二次巻線の端子Ｓ１に接続される。このように放電管ＬＰ９乃至ＬＰ１６が平行に配置され且つ放電管の左右にトランスが配置されている場合には対角のトランスＴ８及びＴ１５の二次巻線同士を放電管を介して接続する。また、放電管ＬＰ１０の第１の端子は、トランスＴ８の二次巻線の端子Ｓ１に接続され、放電管ＬＰ１０の第２の端子は、トランスＴ１２の二次巻線の端子Ｓ２に接続される。同様に、放電管ＬＰ１１の第１の端子は、トランスＴ１２の二次巻線の端子Ｓ１に接続され、放電管ＬＰ１１の第２の端子は、トランスＴ９の二次巻線の端子Ｓ２に接続される。また、放電管ＬＰ１２の第１の端子は、トランスＴ９の二次巻線の端子Ｓ１に接続され、放電管ＬＰ１２の第２の端子は、トランスＴ１３の二次巻線の端子Ｓ２に接続される。放電管ＬＰ１３の第１の端子は、トランスＴ１３の二次巻線の端子Ｓ１に接続され、放電管ＬＰ１３の第２の端子は、トランスＴ１０の二次巻線の端子Ｓ２に接続される。また、放電管ＬＰ１４の第１の端子は、トランスＴ１０の二次巻線の端子Ｓ１に接続され、放電管ＬＰ１４の第２の端子は、トランスＴ１４の二次巻線の端子Ｓ２に接続される。同様に、放電管ＬＰ１５の第１の端子は、トランスＴ１４の二次巻線の端子Ｓ１に接続され、放電管ＬＰ１５の第２の端子は、トランスＴ１１の二次巻線の端子Ｓ２に接続される。また、放電管ＬＰ１６の第１の端子は、トランスＴ１１の二次巻線の端子Ｓ１に接続され、放電管ＬＰ１６の第２の端子は、トランスＴ１５の二次巻線の端子Ｓ２に接続される。このように、放電管ＬＰ９と、トランスＴ８の二次巻線と、放電管ＬＰ１０と、トランスＴ１２の二次巻線と、放電管ＬＰ１１と、トランスＴ９の二次巻線と、放電管ＬＰ１２と、トランスＴ１３の二次巻線と、放電管ＬＰ１３と、トランスＴ１０の二次巻線と、放電管ＬＰ１４と、トランスＴ１４の二次巻線と、放電管ＬＰ１５と、トランスＴ１１の二次巻線と、放電管ＬＰ１６と、トランスＴ１５の二次巻線とが直列に接続されており、さらにトランスＴ１５の二次巻線と放電管ＬＰ９とが接続されているのでこれらの回路要素はループを構成している。
【００５５】
また、放電管ＬＰ９乃至ＬＰ１６のいずれの両端においても逆極性の電圧が印加されるように、トランスＴ８乃至Ｔ１５の一次巻線と交流電源Ｖ３と、トランスＴ８乃至Ｔ１５の二次巻線と放電管ＬＰ９乃至ＬＰ１６とが接続されている。また、放電管ＬＰ９乃至ＬＰ１６の右側の端子には交互に極性の異なる電圧が印加され、同様に放電管ＬＰ９乃至ＬＰ１６の左側の端子にも交互に極性の異なる電圧が印加される。
【００５６】
本実施の形態においてトランスの数が８に対して放電管の数も８となり、放電管の数に比してトランスの数は増加していない。また、トランスの二次側において放電管が直列に接続される構成であるが、トランスの二次巻線と放電管とが交互に直列に接続されるため、点灯中は電圧の累積は最小限に抑えられている。また、本実施の形態ではフローティング差動駆動方式を採用しているので、高電圧がかかる配線２箇所を触らないと本格的に電流は流れないので、感電しにくく安全性が高い。また、上でも述べたように、放電管の両端には逆極性の電圧が印加され、さらに隣接配置された放電管についても極性が逆転するようになっているため、ノイズが発生しにくいという効果もある。
【００５７】
７．実施の形態６
図１５に本発明の第６の実施の形態に係る放電管点灯用回路を示す。図１５の放電管点灯用回路６０は、フローティング差動駆動の点灯用回路であり、交流電源Ｖ４と、トランスＴ１６乃至Ｔ２３と、冷陰極線蛍光管などの放電管ＬＰ１７乃至ＬＰ２４とを有する。本実施の形態に係る放電管点灯用回路６０は、第５の実施の形態に係る放電管点灯用回路５０におけるトランスの二次巻線と放電管とをつなぐ配線を変更した回路である。放電管点灯用回路６０の交流電源Ｖ４は、トランスＴ１６の一次巻線の端子Ｐ１及びＰ２と、トランスＴ１７の一次巻線の端子Ｐ１及びＰ２と、トランスＴ１８の一次巻線の端子Ｐ１及びＰ２と、トランスＴ１９の一次巻線の端子Ｐ１及びＰ２と、トランスＴ２０の一次巻線の端子Ｐ１及びＰ２と、トランスＴ２１の一次巻線の端子Ｐ１及びＰ２と、トランスＴ２２の一次巻線の端子Ｐ１及びＰ２と、トランスＴ２３の一次巻線の端子Ｐ１及びＰ２とに接続されている。すなわち、全てのトランスＴ１６乃至Ｔ２３の一次巻線は交流電源Ｖ４に対して並列になっている。
【００５８】
そして、放電管ＬＰ１７の第１の端子は、トランスＴ１６の二次巻線の端子Ｓ２に接続され、放電管ＬＰ１７の第２の端子は、トランスＴ２０の二次巻線の端子Ｓ２に接続される。また、放電管ＬＰ１８の第１の端子は、トランスＴ１６の二次巻線の端子Ｓ１に接続され、放電管ＬＰ１８の第２の端子は、トランスＴ２１の二次巻線の端子Ｓ２に接続される。さらに、放電管ＬＰ２０の第１の端子は、トランスＴ２１の二次巻線の端子Ｓ１に接続され、放電管ＬＰ２０の第２の端子は、トランスＴ１８の二次巻線の端子Ｓ２に接続される。同様に、放電管ＬＰ２２の第１の端子は、トランスＴ１８の二次巻線の端子Ｓ１に接続され、放電管ＬＰ２２の第２の端子は、トランスＴ２３の二次巻線の端子Ｓ２に接続される。また、放電管ＬＰ２４の第１の端子は、トランスＴ２３の二次巻線の端子Ｓ１に接続され、放電管ＬＰ２４の第２の端子は、トランスＴ１９の二次巻線の端子Ｓ１に接続される。さらに、放電管ＬＰ２３の第１の端子は、トランスＴ１９の二次巻線の端子Ｓ２に接続され、放電管ＬＰ２３の第２の端子は、トランスＴ２２の二次巻線の端子Ｓ１に接続される。同様に、放電管ＬＰ２１の第１の端子は、トランスＴ２２の二次巻線の端子Ｓ２に接続され、放電管ＬＰ２１の第２の端子は、トランスＴ１７の二次巻線の端子Ｓ１に接続される。また、放電管ＬＰ１９の第１の端子は、トランスＴ１７の二次巻線の端子Ｓ２に接続され、放電管ＬＰ１９の第２の端子は、トランスＴ２０の二次巻線の端子Ｓ１に接続される。このように、放電管ＬＰ１７と、トランスＴ１６の二次巻線と、放電管ＬＰ１８と、トランスＴ２１の二次巻線と、放電管ＬＰ２０と、トランスＴ１８の二次巻線と、放電管ＬＰ２２と、トランスＴ２３の二次巻線と、放電管ＬＰ２４と、トランスＴ１９の二次巻線と、放電管ＬＰ２３と、トランスＴ２２の二次巻線と、放電管ＬＰ２１と、トランスＴ１７の二次巻線と、放電管ＬＰ１９と、トランスＴ２０の二次巻線とが直列に接続されており、さらにトランスＴ２０の二次巻線と放電管ＬＰ１７とが接続されているのでこれらの回路要素はループを構成している。
【００５９】
また、放電管ＬＰ１７乃至ＬＰ２４のいずれの両端においても逆極性の電圧が印加されるように、トランスＴ１６乃至Ｔ２３の一次巻線と交流電源Ｖ４と、トランスＴ１６乃至Ｔ２３の二次巻線と放電管ＬＰ１７乃至ＬＰ２４とが接続されている。また、放電管ＬＰ１７乃至ＬＰ２４の右側の端子には＋＋−−のように２本おきに極性の反転した電圧が印加され、同様に放電管ＬＰ１７乃至ＬＰ２４の左側の端子にも＋＋−−のように２本おきに極性が反転した電圧が印加されている。
【００６０】
図１４に示した第５の実施の形態に係る放電管点灯用回路５０と比較すると、基本的な回路構成は同じであるが、高電圧の配線が長くならないように、隣接するトランスと放電管とを接続している。すなわち、図１５に示したように放電管ＬＰ１７乃至ＬＰ２４を平行に配置し、さらに放電管の左右にトランスＴ１６乃至Ｔ２３を配置する場合には、隣接する放電管及びトランスについて放電管とトランスの二次巻線との配線をクロスさせている。
【００６１】
なお、図１４に示した第５の実施の形態に係る放電管点灯用回路５０に比べて、放電管ＬＰ１７乃至ＬＰ２４に印加される電圧の極性の分布が＋＋−−となっているため、多少ノイズキャンセル特性が劣っている。
【００６２】
８．実施の形態７
図１６に本発明の第７の実施の形態に係る放電管点灯用回路を示す。図１６の放電管点灯用回路７０は、フローティング差動駆動の点灯用回路であり、交流電源Ｖ５と、トランスＴ２４乃至Ｔ３１と、冷陰極線蛍光管などの放電管ＬＰ２５乃至ＬＰ３２とを有する。本実施の形態に係る放電管点灯用回路７０は、第５の実施の形態に係る放電管点灯用回路５０におけるトランスと放電管とをつなぐ配線を変更した回路である。放電管点灯用回路７０の交流電源Ｖ５は、トランスＴ２４の一次巻線の端子Ｐ１及びＰ２と、トランスＴ２５の一次巻線の端子Ｐ１及びＰ２と、トランスＴ２６の一次巻線の端子Ｐ１及びＰ２と、トランスＴ２７の一次巻線の端子Ｐ１及びＰ２と、トランスＴ２８の一次巻線の端子Ｐ１及びＰ２と、トランスＴ２９の一次巻線の端子Ｐ１及びＰ２と、トランスＴ３０の一次巻線の端子Ｐ１及びＰ２と、トランスＴ３１の一次巻線の端子Ｐ１及びＰ２とに接続されている。すなわち、全てのトランスＴ２４乃至Ｔ３１の一次巻線は交流電源Ｖ５に対して並列になっている。
【００６３】
そして、放電管ＬＰ２５の第１の端子は、トランスＴ２４の二次巻線の端子Ｓ２に接続され、放電管ＬＰ２５の第２の端子は、トランスＴ２９の二次巻線の端子Ｓ２に接続される。また、放電管ＬＰ２６の第１の端子は、トランスＴ２４の二次巻線の端子Ｓ１に接続され、放電管ＬＰ２６の第２の端子は、トランスＴ２８の二次巻線の端子Ｓ２に接続される。さらに、放電管ＬＰ２７の第１の端子は、トランスＴ２８の二次巻線の端子Ｓ１に接続され、放電管ＬＰ２７の第２の端子は、トランスＴ２６の二次巻線の端子Ｓ２に接続される。同様に、放電管ＬＰ３０の第１の端子は、トランスＴ２６の二次巻線の端子Ｓ１に接続され、放電管ＬＰ３０の第２の端子は、トランスＴ３０の二次巻線の端子Ｓ２に接続される。また、放電管ＬＰ３１の第１の端子は、トランスＴ３０の二次巻線の端子Ｓ１に接続され、放電管ＬＰ３１の第２の端子は、トランスＴ２７の二次巻線の端子Ｓ２に接続される。さらに、放電管ＬＰ３２の第１の端子は、トランスＴ２７の二次巻線の端子Ｓ１に接続され、放電管ＬＰ３２の第２の端子は、トランスＴ３１の二次巻線の端子Ｓ１に接続される。同様に、放電管ＬＰ２９の第１の端子は、トランスＴ３１の二次巻線の端子Ｓ２に接続され、放電管ＬＰ２９の第２の端子は、トランスＴ２５の二次巻線の端子Ｓ１に接続される。また、放電管ＬＰ２８の第１の端子は、トランスＴ２５の二次巻線の端子Ｓ２に接続され、放電管ＬＰ２８の第２の端子は、トランスＴ２９の二次巻線の端子Ｓ１に接続される。このように、放電管ＬＰ２５と、トランスＴ２４の二次巻線と、放電管ＬＰ２６と、トランスＴ２８の二次巻線と、放電管ＬＰ２７と、トランスＴ２６の二次巻線と、放電管ＬＰ３０と、トランスＴ３０の二次巻線と、放電管ＬＰ３１と、トランスＴ２７の二次巻線と、放電管ＬＰ３２と、トランスＴ３１の二次巻線と、放電管ＬＰ２９と、トランスＴ２５の二次巻線と、放電管ＬＰ２８と、トランスＴ２９の二次巻線とが直列に接続されており、さらにトランスＴ２９の二次巻線と放電管ＬＰ２５とが接続されているのでこれらの回路要素はループを構成している。
【００６４】
また、放電管ＬＰ２５乃至ＬＰ３２のいずれの両端においても逆極性の電圧が印加されるように、トランスＴ２４乃至Ｔ３１の一次巻線と交流電源Ｖ５と、トランスＴ２４乃至Ｔ３１の二次巻線と放電管ＬＰ２５乃至ＬＰ３２とが接続されている。また、放電管ＬＰ２５乃至ＬＰ３２の右側の端子には交互に極性の異なる電圧が印加され、同様に放電管ＬＰ２５乃至ＬＰ３２の左側の端子にも交互に極性の異なる電圧が印加される為、ノイズが発生しにくいという効果がある。
【００６５】
図１４に示した第５の実施の形態に係る放電管点灯用回路５０と比較すると、基本的な回路構成は同じであるが、高電圧の配線が長くならないように、比較的近いトランスの二次巻線と放電管とを接続している。すなわち、図１６に示したように、高電圧の配線が他の２本の配線をまたぐ形で配置されている。
【００６６】
９．実施の形態８
図１７（ａ）に本発明の第８の実施の形態に係る放電管点灯用回路を示す。図１７（ａ）の放電管点灯用回路８０は、フローティング差動駆動の点灯用回路であり、交流電源Ｖ６と、トランスＴ３２乃至Ｔ３５と、冷陰極線蛍光管などの放電管ＬＰ３３乃至ＬＰ４０とを有する。本実施の形態に係る放電管点灯用回路８０は、直列に接続された２本の放電管がトランスの二次巻線間に接続される回路であり、トランスの数の２倍の放電管を点灯させることができる。放電管点灯用回路８０の交流電源Ｖ６は、トランスＴ３２の一次巻線の端子Ｐ１及びＰ２と、トランスＴ３３の一次巻線の端子Ｐ１及びＰ２と、トランスＴ３４の一次巻線の端子Ｐ１及びＰ２と、トランスＴ３５の一次巻線の端子Ｐ１及びＰ２とに接続されている。すなわち、全てのトランスＴ３２乃至Ｔ３５の一次巻線は交流電源Ｖ６に対して並列になっている。
【００６７】
そして、放電管ＬＰ３３の第１の端子は、トランスＴ３２の二次巻線の端子Ｓ２に接続され、放電管ＬＰ３３の第２の端子は、放電管ＬＰ４０の第１の端子に接続される。放電管ＬＰ４０の第２の端子は、トランスＴ３５の二次巻線の端子Ｓ１に接続されている。また、放電管Ｌ３４及びＬ３５は直列に接続されており、放電管ＬＰ３４の他の端子はトランスＴ３２の二次巻線の端子Ｓ１に接続され、放電管ＬＰ３５の他の端子はトランスＴ３４の二次巻線の端子Ｓ２に接続されている。同様に、放電管ＬＰ３６及びＬＰ３７は直列に接続され、放電管ＬＰ３６の他の端子はトランスＴ３４の二次巻線の端子Ｓ１に接続され、放電管ＬＰ３７の他の端子はトランスＴ３３の二次巻線の端子Ｓ２に接続されている。さらに、放電管ＬＰ３８及びＬＰ３９は直列に接続されており、放電管ＬＰ３８の他の端子はトランスＴ３３の二次巻線の端子Ｓ１に接続されており、放電管ＬＰ３９の他の端子はトランスＴ３５の二次巻線の端子Ｓ２に接続されている。
【００６８】
このように、放電管ＬＰ３３と、トランスＴ３２の二次巻線と、放電管ＬＰ３４及びＬＰ３５と、トランスＴ３４の二次巻線と、放電管ＬＰ３６及びＬＰ３７と、トランスＴ３３の二次巻線と、放電管ＬＰ３８及びＬＰ３９と、トランスＴ３５の二次巻線と、放電管ＬＰ４０とが直列に接続されており、さらに放電管ＬＰ４０と放電管ＬＰ３３とが接続されているのでこれらの回路要素はループを構成している。
【００６９】
また、直列に接続された２本の放電管ＬＰ３３及びＬＰ４０、放電管ＬＰ３４及びＬＰ３５、放電管ＬＰ３６及びＬＰ３７、放電管ＬＰ３８及びＬＰ３９のいずれの両端においても逆極性の電圧が印加されるように、トランスＴ３２乃至Ｔ３５の一次巻線と交流電源Ｖ６と、トランスＴ３２乃至Ｔ３５の二次巻線と放電管ＬＰ３３乃至ＬＰ４０とが接続されている。なお、２本の放電管の接続点はほぼ中点電位（グランド）となり、図１７（ａ）では（０）と示されている。図１７（ａ）のように放電管ＬＰ３３乃至ＬＰ４０を平行に配置すると、図１７（ｂ）の左側のグラフのように、放電管の右端の電位パターンは００＋−００＋−というように変化する。また、このような電位パターンの場合には図１７（ｂ）の右側のグラフのように、電位が（０）の部分は放電管が暗くなってしまい、暗暗明明暗暗明明という明暗パターンが構成されている。
【００７０】
このように放電管とトランスの二次巻線が直列に接続されているので基本的には全ての放電管につき電流は同一となる。但し、上でも述べたように電位が０となる部分については多少放電管の輝度は下がってしまう。なお、２本の放電管が直列に接続されているため、放電管２本分の電圧の累積が起こるが、それ以上にはならない。また、放電管ＬＰ３３と放電管ＬＰ４０との接続線が長く伸びているが、上で述べた中点電位（グランド）でありリーク電流やノイズ発生の問題は生じない。また、本実施の形態ではフローティング差動駆動方式を採用しているので、高電圧がかかる配線２箇所を触らないと本格的に電流が流れないので、感電にしにくく安全性が高い。
【００７１】
１０．実施の形態９
図１８（ａ）に本発明の第９の実施の形態に係る放電管点灯用回路を示す。図１８（ａ）の放電管点灯用回路９０は、フローティング差動駆動の点灯用回路であり、交流電源Ｖ６と、トランスＴ３２乃至Ｔ３５と、冷陰極線蛍光管などの放電管ＬＰ３３乃至ＬＰ４０とを有する。本実施の形態に係る放電管点灯用回路９０は、第８の実施の形態に係る放電管点灯用回路８０と回路としては同じであるが、放電管の配置を変更したものである。すなわち、図１７（ａ）では放電管は上から順番に放電管ＬＰ３３、ＬＰ３４、ＬＰ３５、ＬＰ３６、ＬＰ３７、ＬＰ３８、ＬＰ３９、ＬＰ４０の順番に並べられていたが、図１８（ａ）では放電管が上から順番に放電管ＬＰ３３、ＬＰ３５、ＬＰ３４、ＬＰ３６、ＬＰ３７、ＬＰ３９、ＬＰ３８、ＬＰ４０の順番で並べられている。下線部が順番が入れ替わっている部分を示す。このようにすることにより、放電管の輝度が左右ともに明暗の繰り返しになっており、輝度むらが減少している。このことは、図１８（ｂ）の右側の明暗パターンのグラフでも明らかである。また、放電管の電位パターン（右側）についても、図１８（ｂ）の左側に示すように、０＋０−０＋０−といったように０を中心に細かく変化するようになっている。従ってノイズキャンセル効果も向上している。
【００７２】
１１．実施の形態１０
図１９（ａ）に本発明の第１０の実施の形態に係る放電管点灯用回路を示す。図１９（ａ）の放電管点灯用回路１００は、フローティング差動駆動の点灯用回路であり、交流電源Ｖ７と、トランスＴ３６乃至Ｔ３９と、冷陰極線蛍光管などの放電管ＬＰ４１乃至ＬＰ４８とを有する。本実施の形態に係る放電管点灯用回路１００は、図１０に示した第３の実施の形態に係る放電管点灯用回路３０を２つ用意し、それらを左右に配置すると共に放電管１灯ずつ交互に配列し、２つの放電管点灯用回路３０の一次側を直列に接続した回路である。これにより高電圧の配線をあまり長くすることなく電位パターン及び明暗パターンを良好な形にするものである。
【００７３】
この放電管点灯用回路１００の交流電源Ｖ７は、トランスＴ３８の一次巻線の端子Ｐ２と、トランスＴ３９の一次巻線の端子Ｐ２と、トランスＴ３６の一次巻線の端子Ｐ１と、トランスＴ３７の一次巻線の端子Ｐ１とに接続されている。すなわち、トランスＴ３８の一次巻線とトランスＴ３９の一次巻線とは並列となっており、トランスＴ３６の一次巻線とトランスＴ３７の一次巻線とは並列となっている。また、トランスＴ３８及びＴ３９の一次巻線とトランスＴ３６及びＴ３７の一次巻線は直列になっている。このようなトランスの一次巻線間の関係は、二次側の放電管の直列接続の作用で一次側の電流が強制的に半分ずつに分けられるためである。
【００７４】
そして、放電管ＬＰ４１の第１の端子は、トランスＴ３８の二次巻線の端子Ｓ２に接続され、放電管ＬＰ４１の第２の端子は、放電管ＬＰ４７の第１の端子に接続される。放電管ＬＰ４７の第２の端子は、トランスＴ３９の二次巻線の端子Ｓ１に接続されている。また、放電管ＬＰ４２の第１の端子は、トランスＴ３６の二次巻線の端子Ｓ２に接続され、放電管ＬＰ４２の第２の端子は、放電管ＬＰ４８の第１の端子に接続される。放電管ＬＰ４８の第２の端子は、トランスＴ３７の二次巻線の端子Ｓ１に接続されている。放電管Ｌ４３及びＬ４５は直列に接続されており、放電管ＬＰ４３の他の端子はトランスＴ３８の二次巻線の端子Ｓ１に接続され、放電管ＬＰ４５の他の端子はトランスＴ３９の二次巻線の端子Ｓ２に接続されている。同様に、放電管ＬＰ４４及びＬＰ４６は直列に接続され、放電管ＬＰ４４の他の端子はトランスＴ３６の二次巻線の端子Ｓ１に接続され、放電管ＬＰ４６の他の端子はトランスＴ３７の二次巻線の端子Ｓ２に接続されている。
【００７５】
このように、放電管ＬＰ４１と、放電管ＬＰ４７と、トランスＴ３９の二次巻線と、放電管ＬＰ４５及びＬＰ４３と、トランスＴ３８の二次巻線とが直列に接続されており、さらに放電管ＬＰ４１とトランスＴ３８の二次巻線とが接続されているのでループが構成されている。また、放電管ＬＰ４２と、放電管ＬＰ４８と、トランスＴ３７の二次巻線と、放電管ＬＰ４６と、放電管ＬＰ４４と、トランスＴ３６の二次巻線とが直列に接続されており、さらに放電管ＬＰ４２とトランスＴ３６の二次巻線とが接続されているのでループが構成されている。
【００７６】
また、直列に接続された２本の放電管ＬＰ４１及びＬＰ４７、放電管ＬＰ４２及びＬＰ４８、放電管ＬＰ４３及びＬＰ４５、放電管ＬＰ４４及びＬＰ４６のいずれの両端においても逆極性の電圧が印加されるように、トランスＴ３６乃至Ｔ３９の一次巻線と交流電源Ｖ７と、トランスＴ３６乃至Ｔ３９の二次巻線と放電管ＬＰ４１乃至ＬＰ４８とが接続されている。なお、２本の放電管の接続点はほぼ中点電位（グランド）となり、図１９（ａ）では（０）と示されている。図１９（ａ）のように放電管ＬＰ４１乃至ＬＰ４８を平行に配置すると、図１９（ｂ）の左側のグラフのように、放電管の右端の電位パターンは＋０−０＋０−０というように変化する。また、このような電位パターンの場合には図１９（ｂ）の右側のグラフのように電位が（０）の部分は放電管が暗くなってしまい、明暗明暗明暗明暗という明暗パターンが構成されている。
【００７７】
このように放電管の右端又は左端の電位パターン及び明暗パターンは図１８（ｂ）と同じようになっているが、図１８（ａ）のように高電圧の配線を１本のみ長く伸ばすことなく上記のような電位パターン及び明暗パターンを実現している。
【００７８】
１２．実施の形態１１
図２０に本発明の第１１の実施の形態に係る放電管点灯用回路を示す。図２０の放電管点灯用回路１１０は、フローティング差動駆動の点灯用回路であり、交流電源Ｖ８と、トランスＴ４０乃至Ｔ４７と、冷陰極線蛍光管などの放電管ＬＰ４９乃至ＬＰ５６とを有する。本実施の形態に係る放電管点灯用回路１１０は、第１の実施の形態に係る放電管点灯用回路１０を上下に配置し、左側に配置されているトランスＴ４０及びＴ４１とトランスＴ４２及びＴ４３とを並列に、右側に配置されているトランスＴ４４乃至Ｔ４７を並列に接続した回路である。また、トランスＴ４０とトランスＴ４１とは並列になっており、トランスＴ４２とトランスＴ４３とも並列となっている。放電管点灯用回路１１０の交流電源Ｖ８は、トランスＴ４０の一次巻線の端子Ｐ２と、トランスＴ４１の一次巻線の端子Ｐ２と、トランスＴ４２の一次巻線の端子Ｐ１と、トランスＴ４３の一次巻線の端子Ｐ１と、トランスＴ４４の一次巻線の端子Ｐ１及びＰ２と、トランスＴ４５の一次巻線の端子Ｐ１及びＰ２と、トランスＴ４６の一次巻線の端子Ｐ１及びＰ２と、トランスＴ４７の一次巻線の端子Ｐ１及びＰ２とに接続されている。このように上半分の回路内部のトランスが並列となっており、さらに下半分の回路内部のトランスも並列となっているのは、以下に述べるように二次側において上半分の回路及び下半分の回路それぞれについて放電管が直列に接続されているので、その作用により一次側の電流が強制的に１／４ずつに分けられるためである。但し、左側のトランスも右側のように全てのトランスが並列になるように接続することも可能である。
【００７９】
そして、放電管ＬＰ４９の第１の端子は、トランスＴ４０の二次巻線の端子Ｓ２に接続され、放電管ＬＰ４９の第２の端子は、トランスＴ４５の二次巻線の端子Ｓ１に接続される。このように放電管ＬＰ４９乃至ＬＰ５２が平行に配置される場合には対角のトランスＴ４０及びＴ４５の二次巻線同士を放電管を介して接続する。また、放電管ＬＰ５０の第１の端子は、トランスＴ４０の二次巻線の端子Ｓ１に接続され、放電管ＬＰ５０の第２の端子は、トランスＴ４４の二次巻線の端子Ｓ２に接続される。同様に、放電管ＬＰ５１の第１の端子は、トランスＴ４４の二次巻線の端子Ｓ１に接続され、放電管ＬＰ５１の第２の端子は、トランスＴ４１の二次巻線の端子Ｓ２に接続される。放電管ＬＰ５２の第１の端子は、トランスＴ４１の二次巻線の端子Ｓ１に接続され、放電管ＬＰ５２の第２の端子は、トランスＴ４５の二次巻線の端子Ｓ２に接続される。このように、放電管ＬＰ４９、トランスＴ４０の二次巻線、放電管ＬＰ５０、トランスＴ４４の二次巻線、放電管ＬＰ５１、トランスＴ４１の二次巻線、放電管ＬＰ５２、トランスＴ４５の二次巻線が直列に接続されており、トランスＴ４５の二次巻線と放電管ＬＰ４９とは接続されているのでループが構成されている。
【００８０】
また、放電管ＬＰ５３の第１の端子は、トランスＴ４２の二次巻線の端子Ｓ２に接続され、放電管ＬＰ５３の第２の端子は、トランスＴ４７の二次巻線の端子Ｓ１に接続される。このように放電管ＬＰ５３乃至ＬＰ５６が平行に配置される場合には対角のトランスＴ４２及びＴ４７の二次巻線同士を放電管を介して接続する。また、放電管ＬＰ５４の第１の端子は、トランスＴ４２の二次巻線の端子Ｓ１に接続され、放電管ＬＰ５４の第２の端子は、トランスＴ４６の二次巻線の端子Ｓ２に接続される。同様に、放電管ＬＰ５５の第１の端子は、トランスＴ４６の二次巻線の端子Ｓ１に接続され、放電管ＬＰ５５の第２の端子は、トランスＴ４３の二次巻線の端子Ｓ２に接続される。さらに、放電管ＬＰ５６の第１の端子は、トランスＴ４３の二次巻線の端子Ｓ１に接続され、放電管ＬＰ５６の第２の端子は、トランスＴ４７の二次巻線の端子Ｓ２に接続される。このように、放電管ＬＰ５３、トランスＴ４２の二次巻線、放電管ＬＰ５４、トランスＴ４６の二次巻線、放電管ＬＰ５５、トランスＴ４３の二次巻線、放電管ＬＰ５６、トランスＴ４７の二次巻線が直列に接続されており、トランスＴ４７の二次巻線と放電管ＬＰ５３とは接続されているのでループが構成されている。
【００８１】
また、放電管ＬＰ４９乃至ＬＰ５６のいずれの両端においても逆極性の電圧が印加されるように、トランスＴ４０乃至Ｔ４７の一次巻線と交流電源Ｖ８と、トランスＴ４０乃至Ｔ４７の二次巻線と放電管ＬＰ４９乃至ＬＰ５６とが接続されている。また、放電管ＬＰ４９乃至ＬＰ５６の右側の端子には交互に極性の異なる電圧が印加され、同様に放電管ＬＰ４９乃至ＬＰ５６の左側の端子にも交互に極性の異なる電圧が印加される。
【００８２】
本実施の形態においてトランスの数が８に対して放電管の数も８となり、放電管の数に比してトランスの数は増加していない。また、トランスの二次側において放電管が直列に接続される構成であるが、トランスの二次巻線と放電管とが交互に直列に接続されるため、点灯中は電圧の累積は最小限に抑えられる。また、本実施の形態ではフローティング差動駆動方式を採用しているので、高電圧がかかる配線２箇所を触らないと本格的に電流が流れないので、感電にしにくく安全性が高い。また、上でも述べたように、放電管の両端には逆極性の電圧が印加され、さらに隣接配置された放電管についても極性が逆転するようになっているため、ノイズが発生しにくいという効果もある。
【００８３】
なお、上半分の回路の二次側においては電流は均一であり、下半分の回路の二次側においても電流は均一である。また、上半分の回路の一次側と下半分の回路の一次側も直列になっているので、上半分の回路と下半分の回路の電流は均一となる。
【００８４】
１３．実施の形態１２
図２１に本発明の第１２の実施の形態に係る放電管点灯用回路を示す。図２１の放電管点灯用回路１２０は、フローティング差動駆動の点灯用回路であり、交流電源Ｖ９と、４出力の複合トランスＴ４８及びＴ４９と、冷陰極線蛍光管などの放電管ＬＰ５７乃至ＬＰ６４とを有する。本実施の形態に係る放電管点灯用回路１２０は、図１４に示した回路において使用されている通常のトランスの代わりに４出力の複合トランスを用いたものである。この放電管点灯用回路１２０の交流電源Ｖ９は、トランスＴ４８の一次巻線の端子Ｐ１及びＰ２と、トランスＴ４９の一次巻線の端子Ｐ１及びＰ２とに接続されている。すなわち、トランスＴ４８及びＴ４９の一次巻線は交流電源Ｖ９に対して並列になっている。
【００８５】
複合トランスＴ４８の一次巻線と全ての二次巻線は共通コアで磁気結合されており、第１の二次巻線は端子Ｓ３から端子Ｓ４までで構成され、第２の二次巻線は端子Ｓ５から端子Ｓ６までで構成され、第３の二次巻線は端子Ｓ７から端子Ｓ８までで構成され、第４の二次巻線は端子Ｓ９から端子Ｓ１０までで構成される。同様に、複合トランスＴ４９の一次巻線と全ての二次巻線は共通コアで磁気結合されており、第１の二次巻線は端子Ｓ３から端子Ｓ４までで構成され、第２の二次巻線は端子Ｓ５から端子Ｓ６までで構成され、第３の二次巻線は端子Ｓ７から端子Ｓ８までで構成され、第４の二次巻線は端子Ｓ９から端子Ｓ１０までで構成される。
【００８６】
そして、放電管ＬＰ５７の第１の端子は、トランスＴ４８の第１の二次巻線の端子Ｓ３に接続され、放電管ＬＰ５７の第２の端子は、トランスＴ４９の第４の二次巻線の端子Ｓ１０に接続されている。このように放電管ＬＰ５７乃至ＬＰ６４が平行に配置され且つトランスが放電管の左右に配置される場合には対角の二次巻線同士を放電管を介して接続する。また、放電管ＬＰ５８の第１の端子は、トランスＴ４８の第１の二次巻線の端子Ｓ４に接続され、放電管ＬＰ５８の第２の端子は、トランスＴ４９の第１の二次巻線の端子Ｓ３に接続される。同様に、放電管ＬＰ５９の第１の端子は、トランスＴ４９の第１の二次巻線の端子Ｓ４に接続され、放電管ＬＰ５９の第２の端子は、トランスＴ４８の第２の二次巻線の端子Ｓ５に接続される。また、放電管ＬＰ６０の第１の端子は、トランスＴ４８の第２の二次巻線の端子Ｓ６に接続され、放電管ＬＰ６０の第２の端子は、トランスＴ４９の第２の二次巻線の端子Ｓ５に接続される。放電管ＬＰ６１の第１の端子は、トランスＴ４９の第２の二次巻線の端子Ｓ６に接続され、放電管ＬＰ６１の第２の端子は、トランスＴ４８の第３の二次巻線の端子Ｓ７に接続される。また、放電管ＬＰ６２の第１の端子は、トランスＴ４８の第３の二次巻線の端子Ｓ８に接続され、放電管ＬＰ６２の第２の端子は、トランスＴ４９の第３の二次巻線の端子Ｓ７に接続される。同様に、放電管ＬＰ６３の第１の端子は、トランスＴ４９の第３の二次巻線の端子Ｓ８に接続され、放電管ＬＰ６３の第２の端子は、トランスＴ４８の第４の二次巻線の端子Ｓ９に接続される。また、放電管ＬＰ６４の第１の端子は、トランスＴ４８の第４の二次巻線の端子Ｓ１０に接続され、放電管ＬＰ６４の第２の端子は、トランスＴ４９の第４の二次巻線の端子Ｓ９に接続される。このように、放電管ＬＰ５７と、トランスＴ４８の第１の二次巻線と、放電管ＬＰ５８と、トランスＴ４９の第１の二次巻線と、放電管ＬＰ５９と、トランスＴ４８の第２の二次巻線と、放電管ＬＰ６０と、トランスＴ４９の第２の二次巻線と、放電管ＬＰ６１と、トランスＴ４８の第３の二次巻線と、放電管ＬＰ６２と、トランスＴ４９の第３の二次巻線と、放電管ＬＰ６３と、トランスＴ４８の第４の二次巻線と、放電管ＬＰ６４と、トランスＴ４９の第４の二次巻線とが直列に接続されており、さらにトランスＴ４９の第４の二次巻線と放電管ＬＰ５７とが接続されているのでこれらの回路要素はループを構成している。
【００８７】
また、放電管ＬＰ５７乃至ＬＰ６４のいずれの両端においても逆極性の電圧が印加されるように、トランスＴ４８及びＴ４９の一次巻線と交流電源Ｖ９と、トランスＴ４８及びＴ４９の二次巻線と放電管ＬＰ５７乃至ＬＰ６４とが接続されている。また、放電管ＬＰ５７乃至ＬＰ５８の右側の端子には交互に極性の異なる電圧が印加され、同様に放電管ＬＰ５７乃至ＬＰ５８の左側の端子にも交互に極性の異なる電圧が印加される。
【００８８】
本実施の形態においてトランスの数が２に対して放電管の数も８となり、多出力の複合トランスが必要となるが数は減少している。また、トランスの二次側において放電管が直列に接続される構成であるが、トランスの二次巻線と放電管とが交互に直列に接続されるため、点灯中は電圧の累積は最小限に抑えられる。また、本実施の形態ではフローティング差動駆動方式を採用しているので、高電圧がかかる配線２箇所を触らないと本格的に電流が流れないので、感電にしにくく安全性が高い。また、上でも述べたように、放電管の両端には逆極性の電圧が印加され、さらに隣接配置された放電管についても極性が逆転するようになっているため、ノイズが発生しにくいという効果もある。各放電管の輝度もばらつきがない。
【００８９】
１４．実施の形態１３
図２２に本発明の第１３の実施の形態に係る放電管点灯用回路を示す。図２２の放電管点灯用回路１３０は、交流電源Ｖ１０と、４出力の複合トランスＴ５０と、冷陰極線蛍光管などの放電管ＬＰ６５乃至ＬＰ６８とを有する。本実施の形態に係る放電管点灯用回路１３０は、図２１に示した放電管点灯用回路１２０の放電管の両極に同一の複合トランスの出力を供給する回路である。この放電管点灯用回路１３０の交流電源Ｖ１０は、トランスＴ５０の一次巻線の端子Ｐ１及びＰ２に接続されている。
【００９０】
また、複合トランスＴ５０の一次巻線と全ての二次巻線は共通コアで磁気結合されており、第１の二次巻線は端子Ｓ３から端子Ｓ４までで構成され、第２の二次巻線は端子Ｓ５から端子Ｓ６までで構成され、第３の二次巻線は端子Ｓ７から端子Ｓ８までで構成され、第４の二次巻線は端子Ｓ９から端子Ｓ１０までで構成される。
【００９１】
そして、放電管ＬＰ６５の第１の端子は、トランスＴ５０の第１の二次巻線の端子Ｓ４に接続され、放電管ＬＰ６５の第２の端子は、トランスＴ５０の第２の二次巻線の端子Ｓ５に接続されている。また、放電管ＬＰ６６の第１の端子は、トランスＴ５０の第２の二次巻線の端子Ｓ６に接続され、放電管ＬＰ６６の第２の端子は、トランスＴ５０の第３の二次巻線の端子Ｓ７に接続される。同様に、放電管ＬＰ６７の第１の端子は、トランスＴ５０の第３の二次巻線の端子Ｓ８に接続され、放電管ＬＰ６７の第２の端子は、トランスＴ５０の第４の二次巻線の端子Ｓ９に接続される。また、放電管ＬＰ６８の第１の端子は、トランスＴ５０の第４の二次巻線の端子Ｓ１０に接続され、放電管ＬＰ６８の第２の端子は、トランスＴ５０の第１の二次巻線の端子Ｓ３に接続される。このように、放電管ＬＰ６５と、トランスＴ５０の第２の二次巻線と、放電管ＬＰ６６と、トランスＴ５０の第３の二次巻線と、放電管ＬＰ６７と、トランスＴ５０の第４の二次巻線と、放電管ＬＰ６８とが直列に接続されており、さらにトランスＴ５０の第１の二次巻線と放電管ＬＰ６８とが接続されているのでこれらの回路要素はループを構成している。
【００９２】
このようにトランスＴ５０の二次巻線と放電管ＬＰ６５乃至ＬＰ６８を接続することにより、放電管ＬＰ６５乃至ＬＰ６８のいずれの両端においても逆極性の電圧が印加されるようになる。また、放電管ＬＰ６５乃至ＬＰ６８の右側の端子には交互に極性の異なる電圧が印加され、同様に放電管ＬＰ６５乃至ＬＰ６８の左側の端子にも交互に極性の異なる電圧が印加される。
【００９３】
本実施の形態においてトランスの数が１に対して放電管の数も４となり、多出力の複合トランスが必要となるが原理的には二次巻線の数を増加させればトランス数を１のまま放電管数を増加させることができる。また、トランスの二次側において放電管が直列に接続される構成であるが、トランスの二次巻線と放電管とが交互に直列に接続されるため、点灯中は電圧の累積は最小限に抑えられる。さらに、上でも述べたように、放電管の両端には逆極性の電圧が印加され、さらに隣接配置された放電管についても極性が逆転するようになっているため、ノイズが発生しにくいという効果もある。各放電管の輝度もばらつきがない。
【００９４】
以上本発明の実施の形態について説明したが、本発明はこれらの実施の形態に限定されるものではない。例えば、上で述べた複数の実施の形態を組み合わせるような回路を用いることも可能である。また、本発明に係る回路以外の回路と本発明に係る回路を組み合わせたような回路を用いることも可能である。
【図面の簡単な説明】
【００９５】
【図１】第１の従来例を示す図である。
【図２】第２の従来例を示す図である。
【図３】第３の従来例を示す図である。
【図４】第４の従来例を示す図である。
【図５】第５の従来例を示す図である。
【図６】第６の従来例を示す図である。
【図７】第７の従来例を示す図である。
【図８】本発明の第１の実施の形態に係る回路図である。
【図９】本発明の第２の実施の形態に係る回路図である。
【図１０】本発明の第３の実施の形態に係る回路図である。
【図１１】本発明の第４の実施の形態に係る回路図である。
【図１２】比較の対象となる回路の回路図である。
【図１３】（ａ）乃至（ｃ）は、放電管による電圧の累積について説明するための図である。
【図１４】本発明の第５の実施の形態に係る回路図である。
【図１５】本発明の第６の実施の形態に係る回路図である。
【図１６】本発明の第７の実施の形態に係る回路図である。
【図１７】（ａ）は本発明の第８の実施の形態に係る回路図、（ｂ）は電位パターン及び明暗パターンを示す図である。
【図１８】（ａ）は本発明の第９の実施の形態に係る回路図、（ｂ）は電位パターン及び明暗パターンを示す図である。
【図１９】（ａ）は本発明の第１０の実施の形態に係る回路図、（ｂ）は電位パターン及び明暗パターンを示す図である。
【図２０】本発明の第１１の実施の形態に係る回路図である。
【図２１】本発明の第１２の実施の形態に係る回路図である。
【図２２】本発明の第１３の実施の形態に係る回路図である。
【符号の説明】
【００９６】
Ｖ  交流電源（又はインバータ）
ＬＰ  放電管
Ｔ  トランス
【図１】
2006100195.tif 000003
【図２】
2006100195.tif 000004
【図３】
2006100195.tif 000005
【図４】
2006100195.tif 000006
【図５】
2006100195.tif 000007
【図６】
2006100195.tif 000008
【図７】
2006100195.tif 000009
【図８】
2006100195.tif 000010
【図９】
2006100195.tif 000011
【図１０】
2006100195.tif 000012
【図１１】
2006100195.tif 000013
【図１２】
2006100195.tif 000014
【図１３】
2006100195.tif 000015
【図１４】
2006100195.tif 000016
【図１５】
2006100195.tif 000017
【図１６】
2006100195.tif 000018
【図１７】
2006100195.tif 000019
【図１８】
2006100195.tif 000020
【図１９】
2006100195.tif 000021
【図２０】
2006100195.tif 000022
【図２１】
2006100195.tif 000023
【図２２】
2006100195.tif 000024